(57)【特許請求の範囲】
【請求項１】
脚部と、前記脚部上に立設された支柱部とを備えた展示用スタンドであって、
前記脚部に取り付けられて展示物の一端部を保持可能な第１の保持部材と、前記支柱部に取り付けられて前記展示物の他端部を保持可能な第２の保持部材とを備え、前記第２の保持部材は、基端部が前記支柱部側に接続されるとともに、先端側で、一端部が前記第１の保持部材に保持された前記展示物の他端部を保持しつつ上方へ付勢する金属板が備えられ、
前記支柱部は、前記脚部に固定された支柱基部と、この支柱基部から延出され当該支柱基部の筒内に摺動自在に収容される延長支柱と、前記支柱基部に対し前記延長支柱を任意の高さに固定する締め付け部材とが備えられていることを特徴とする展示用スタンド。
【請求項２】
前記第１の保持部材に設けられて前記展示物の一端部を保持可能な第１の保持部と、前記第２の保持部材に設けられて前記展示物の他端部を保持可能な第２の保持部とは、それぞれ複数個が前記脚部および前記支柱部の両側に対称に形成されていることを特徴とする請求項１に記載の展示用スタンド。
【請求項３】
前記第１の保持部材は、前記展示物の幅方向と垂直方向に移動可能に取り付けられていることを特徴とする請求項１又は請求項２に記載の展示用スタンド。
【発明の詳細な説明】
【０００１】
【発明の属する技術分野】
本発明は、展示用スタンドに関するものである。
【０００２】
【従来の技術】
図５には、従来の展示用スタンド１０１、１１１を示した。この展示用スタンド１０１、１１１は、広告用の垂れ幕等を展示するために使用するものである。例えば、図５Ａに示す展示用スタンド１０１は、くの字型に形成された脚部１０２の頂点部分１０２Ａから支柱１０３が立設されている。この支柱１０３の上部、および脚部１０２の両端には、それぞれ図示しない留め具が設置されている。そして、この留め具に垂れ幕１２１の上端及び下端を固定し、支柱１０３を弓状に撓ませることによって、垂れ幕１２１が張設されている。また、図５Ｂに示す展示用スタンド１１１は、直方体状のバナーケース１１２上に支柱１１３が立設されている。そして、このバナーケース１１２内に収納された垂れ幕１２１を上方に引き出し、支柱１１３の上部に取り付けられた図示しない留め具に垂れ幕１２１の上端を固定することによって、垂れ幕１２１が垂下されている。
【０００３】
【発明が解決しようとする課題】
ところが、展示用スタンド１０１のような構成では、支柱１０３の撓んだ部分が後方へ突出することとなる。このため、この突出分だけ展示スペースが余分に必要となっていた。また、２枚の垂れ幕１２１を同時に展示用スタンド１０１に取り付け、展示させることは不可能であった。一方、展示用スタンド１１１のような構成では、垂れ幕１２１をその自重によって垂下させるのみである。このため、垂れ幕１２１にしわやたるみが生じ、見づらくなるという不具合が生じる場合があった。
【０００４】
本発明は、上記した事情に鑑みてなされたものであり、その目的は、展示物を省スペースで、かつ見やすく展示することのできる展示用スタンドを提供することにある。
【０００５】
【課題を解決するための手段】
上記の課題を解決するために請求項１の発明に係る展示用スタンドは、脚部と、前記脚部上に立設された支柱部とを備えた展示用スタンドであって、前記脚部に取り付けられて展示物の一端部を保持可能な第１の保持部材と、前記支柱部に取り付けられて前記展示物の他端部を保持可能な第２の保持部材とを備え、前記第２の保持部材は、基端部が前記支柱部側に接続されるとともに、先端側で、一端部が前記第１の保持部材に保持された前記展示物の他端部を保持しつつ上方へ付勢する金属板が備えられ、前記支柱部は、前記脚部に固定された支柱基部と、この支柱基部から延出され当該支柱基部の筒内に摺動自在に収容される延長支柱と、前記支柱基部に対し前記延長支柱を任意の高さに固定する締め付け部材とが備えられていることを特徴とする。
【０００８】
請求項２の発明は、請求項１に記載の展示用スタンドであって、前記第１の保持部材に設けられて前記展示物の一端部を保持可能な第１の保持部と、前記第２の保持部材に設けられて前記展示物の他端部を保持可能な第２の保持部とは、それぞれ複数個が前記脚部および前記支柱部の両側に対称に形成されていることを特徴とする。
【０００９】
請求項３の発明は、請求項１又は請求項２に記載の展示用スタンドであって、前記第１の保持部材は、前記展示物の幅方向と垂直方向に移動可能に取り付けられていることを特徴とする。
【００１０】
【発明の作用、および発明の効果】
請求項１の発明によれば、展示用スタンドは、脚部に取り付けられて展示物の一端部を保持可能な第１の保持部材と、支柱部に取り付けられて展示物の他端部を保持可能な第２の保持部材とを備え、第２の保持部材には展示物の他端部を上方へ付勢する金属板が備えられている。このような構成によれば、金属板の作用により展示物を張設でき、展示物にしわやたるみが生じることを防止できる。これにより、展示物を見やすく展示することができる。また、展示物を張設するために支柱部を撓ませる必要がないため、省スペースで展示を行うことができる。
【００１２】
請求項２の発明によれば、第１の保持部材に設けられて展示物の一端部を保持可能な第１の保持部と、第２の保持部材に設けられて展示物の他端部を保持可能な第２の保持部とは、それぞれ複数個が脚部および支柱部の両側に対称に形成されている。このような構成によれば、２枚の展示物を同時に展示用スタンドに取り付けることができ、省スペースで展示を行うことができる。
【００１３】
請求項３の発明によれば、第１の保持部材は、前記展示物の幅方向と垂直方向に移動可能に取り付けられている。これにより、展示物の取り付け角度を調節することができ、展示スペースおよび展示物の見やすさを調整することができる。
【００１４】
【発明の実施の形態】
＜第１実施形態＞
以下、本発明の第１実施形態について、図１〜図３を参照しつつ詳細に説明する。
【００１５】
図１には、本実施形態のバナースタンド１（本発明の展示用スタンドに該当する）にバナー３０（本発明の展示物に該当する）を取り付けた図を示した。なお、以下の説明中、バナースタンド１においてバナー３０の取り付けられている側を前側とする。
【００１６】
ここで、本実施形態のバナースタンド１に取り付けられるバナー３０は、例えば紙、布、樹脂フィルム等により長方形状に形成された垂れ幕部３１と、この垂れ幕部３１の下端及び上端に取り付けられた下端側バナーパイプ３４及び上端側バナーパイプ３３（本発明の一端部及び他端部に該当する）とから構成されている。両バナーパイプ３３、３４は、例えば金属により筒状に形成されて、その長さは垂れ幕部３１の幅よりもやや長くされている。このバナーパイプ３３、３４の外面には、長さ方向に沿ってすじ状に切り欠かれた溝部３５、３６が、それぞれ前後２箇所に設けられている。一方、垂れ幕部３１の上端及び下端には、幅方向に細長い板状の係止板３２が貼りつけられている。そして、この係止板３２を一方の溝部３５Ａ、３６Ａからバナーパイブ３３、３４内に挿入し、引っ掛けることによって、垂れ幕部３１にバナーパイプ３３、３４が取り付けられている。
【００１７】
バナースタンド１は、脚部２と、脚部２から立設される支柱部３と、脚部２に取り付けられるホルダ部１０（本発明の第１の保持部材に該当する）と、支柱部３に取り付けられる吊下げ具２０（本発明の第２の保持部材に該当する）とで構成され、ホルダ部１０と吊下げ具２０とでバナー３０を保持可能とされている（図２参照）。
【００１８】
脚部２は、幅方向に長い横脚部２Ａと、この横脚部２Ａの左右両端に取り付けられる２本の縦脚部２ＢとでＨ型に形成されている。横脚部２Ａは、例えばステンレスにより扁平な筒状に形成され、その両端には樹脂製のキャップ部７が取り付けられている。このキャップ部７には、前後方向に貫通した挿通孔８が設けられている。挿通孔８には、例えばステンレスにより棒状に形成された縦脚部２Ｂが摺動可能に挿通され、キャップ部７の端部に設けられた固定爪９を押し込むことにより任意の位置で固定可能とされている。
【００１９】
横脚部２Ａの上面において幅方向の中央部分からは、支柱部３が垂直に立設されている。この支柱部３は、円筒状に形成されて横脚部２Ａに固定された支柱基部４と、この支柱基部４から延出される延長支柱５とから構成されている。延長支柱５は、支柱基部４の内径よりもやや小径に形成されて、支柱基部４の筒内に摺動自在に収容されている。また、支柱基部４の上端には、延長支柱５を締め付けて固定するための締め付け部材６が備えられており、延長支柱５を、バナー３０の長さに適合する任意の高さで固定できるようにされている。
【００２０】
縦脚部２Ｂには、下端側バナーパイプ３４を取り付けるためのホルダ部１０が取り付けられている。このホルダ部１０は、樹脂により台形状に形成されて、縦脚部２Ｂの前端部に固定されている。また、ホルダ部１０の前面側には、下端側バナーパイプ３４を嵌め付けるための保持溝１１（本発明の第１の保持部に該当する）がＵ字状に切り欠き形成されている。
【００２１】
一方、支柱部３の上端には、上端側バナーパイプ３３を取り付けるための吊下げ具２０が、取付具２４を介して取り付けられている。取付具２４は、樹脂により直方体状に形成され、その中央部分には上下方向に貫通する支柱挿通孔２５が形成されている。また、取付具２４の後面２４Ａからは、支柱挿通孔２５に達するねじ穴（図示せず）が形成され、このねじ穴には大ねじ２６が取り付けられている。そして、支柱挿通孔２５に延長支柱５を挿通し、後方から大ねじ２６により締め付けることによって、取付具２４が支柱部３に固定される。
【００２２】
また、吊下げ具２０は、それぞれＬ字状に曲げ加工された一対の金属板２２、２３が向かい合わせにされ、Ｌ字の下辺部の先端同士が接続されて、全体として上方に開放されたコの字状に形成されている。金属板２２、２３の接続部分には、コイルばね２１が留め付けられており、両金属板２２、２３を内側方向へ付勢している。そして、吊下げ具２０の一方の金属板２２の側壁２２Ａが、取付具２４の前面２４Ｂに小ねじ２７によりねじ付けられている。また、他方の金属板２３の側壁２３Ａは、上端部が内側へ向けて折り曲げられ、上端側バナーパイプ３３を係止する係止片２３Ｂ（本発明の第２の保持部に該当する）とされている。
【００２３】
次に、上記のように構成された本実施形態の作用及び効果について説明する（図３参照）。
【００２４】
バナー３０をバナースタンド１に取り付ける際には、延長支柱５を支柱基部４から適切な長さだけ引き出し、締め付け部材６を締めつけることによって固定する。次いで、縦脚部２Ｂを脚部２の挿通孔８に挿通し、適切な位置で固定爪９によって固定する。
【００２５】
次に、バナー３０の下端側バナーパイプ３４を、ホルダ部１０の保持溝１１に嵌め付けて保持させる。そして、吊下げ具２０の金属板２３を下方へ回動させて、係止片２３Ｂをバナー３０の上端側バナーパイプ３３の溝部３５Ｂに係止させる。そして、金属板２３をコイルばね２１の付勢力により上方（図中矢印方向）へ復帰させて、バナー３０を張設させる。
【００２６】
以上のように本実施形態のバナースタンド１においては、脚部２に取り付けられたホルダ部１０によって下端側バナーパイプ３４が保持され、支柱部３に取り付けられた吊下げ具２０によって上端側バナーパイプ３３が保持される。そして、吊下げ具２０に取り付けられた上端側バナーパイプ３３を、コイルばね２１の作用で上方へ付勢することにより、バナー３０が張設される。これにより、バナー３０にしわやたるみが生じることを防止でき、バナー３０を見やすく展示することができる。また、バナー３０が伸び易い材質で作製されている場合や、展示環境中の湿度等の影響により、バナー３０に僅かな伸びを生じる場合においても、バナー３０をたるませることなく張設することができる。
【００２７】
また、ホルダ部１０は縦脚部２Ｂに取り付けられているが、この縦脚部２Ｂは横脚部２Ａの挿通孔８に摺動可能に挿通され、任意の位置で固定可能とされている。これにより、横脚部２Ａとホルダ部１０との距離Ｌを任意に調節することができる。従って、バナー３０を垂直に近い角度で展示したい場合には、横脚部２Ａとホルダ部１０との距離Ｌを短くすると同時に、延長支柱５の高さ、もしくは吊下げ具２０の支柱部３への取り付け高さが高くなるように調節すればよい。一方、バナー３０を傾斜させて展示したい場合には、横脚部２Ａとホルダ部１０との距離Ｌを長くすると同時に、延長支柱５の高さ、もしくは吊下げ具２０の支柱部３への取り付け高さが低くなるように調節すればよい。このように、バナー３０の取り付け角度を任意に調節することができ、バナー３０の見やすさを調整することができる。
【００２８】
また、バナー３０に生じた伸びが、吊下げ具２０に取り付けられているコイルばね２１の付勢力によっても調節不可能な程度となり、バナー３０にたるみが生じた場合においても、横脚部２Ａとホルダ部１０との距離Ｌ、延長支柱５の高さ、もしくは吊下げ具２０の支柱部３への取り付け高さを調節することによって、容易にバナー３０を張り直すことができる。
【００２９】
さらに、横脚部２Ａとホルダ部１０との距離Ｌを調節することにより、展示スペースを調節することができる。具体的には、例えばバナースタンド１の後方に陳列棚等が配置され、展示スペースを広く確保することが困難な場合において、脚部２とホルダ部１０との距離Ｌを短くし、縦脚部２Ｂにおいて脚部２の後方へ突出する部分２Ｃを陳列棚の下方に収めることにより、展示スペースを縮小することができる。
【００３０】
＜第２実施形態＞
以下、本発明の第２実施形態について、図４を参照しつつ説明する。
【００３１】
本実施形態のバナースタンド４０は、保持溝４４Ａ、４４Ｂを備えたホルダ部４５Ａ、４５Ｂ、および係止片４９Ａ、４９Ｂを備えた吊下げ具４８Ａ、４８Ｂが、脚部４１および支柱部４２の前後両側に対称に形成されている点で、第１実施形態と相違する。
【００３２】
すなわち、一対のホルダ部４５Ａ、４５Ｂは、縦脚部４１Ｂの前後両端に取り付けられている。また、一対の吊下げ具４８Ａ、４８Ｂは、取付具４６の前面４６Ａ及び後面４６Ｂに取り付けられている。そして、ねじ穴は取付具４６の側面４６Ｃに形成され、ここに取り付けられた大ねじ４７によって、取付具４６が延長支柱４３に固定可能とされている。
【００３３】
そして、バナースタンド４０の前面側に取り付けられたホルダ部４５Ａの保持溝４４Ａ、吊下げ具４８Ａの係止片４９Ａに、バナー３０Ａの下端側バナーパイプ３４Ａ、上端側バナーパイプ３３Ａを取り付けることにより、バナー３０Ａを張設する。また、バナースタンド４０の後面側に取り付けられたホルダ部４５Ｂの保持溝４４Ｂ、吊下げ具４８Ｂの係止片４９Ｂに、バナー３０Ｂの下端側バナーパイプ３４Ｂ、上端側バナーパイプ３３Ｂを取り付けることにより、バナー３０Ｂを張設する。このように、２枚のバナー３０Ａ、３０Ｂを同時にバナースタンド４０に取り付けることができ、省スペースで多くのバナー３０を展示することができる。
【００４２】
その他、本発明の技術的範囲は、上記した実施形態によって限定されるものではなく、均等の範囲にまで及ぶものである。
【図面の簡単な説明】
【図１】第１実施形態のバナースタンドにバナーを取り付けた斜視図
【図２】第１実施形態のバナースタンドの分解図
【図３】（Ａ）第１実施形態のバナースタンドの正面図
（Ｂ）第１実施形態のバナースタンドの側面図
（Ｃ）図３Ｂにおける円Ｒ内の拡大図
【図４】（Ａ）第２実施形態のバナースタンドの側面図
（Ｂ）図４Ａにおける円Ｓ内の拡大図
【図５】従来の展示用スタンドの斜視図
【符号の説明】
１、４０…バナースタンド（展示用スタンド）
２、４１…脚部
３、４２…支柱部
１０、４５Ａ、４５Ｂ…ホルダ部（第１の保持部材）
１１、４４Ａ、４４Ｂ…保持溝（第１の保持部）
２０、４８Ａ、４８Ｂ…吊下げ具（第２の保持部材）
２３Ｂ、４９Ａ、４９Ｂ…係止片（第２の保持部）
２３…金属板
３０…バナー（展示物）
３３…上端側バナーパイプ（他端部）
３４…下端側バナーパイプ（一端部）
【図１】
0003597485.tif 000002
【図２】
0003597485.tif 000003
【図３】
0003597485.tif 000004
【図４】
0003597485.tif 000005
【図５】
0003597485.tif 000006